(57)【要約】【課題】錘の交換が容易であるとともに、錘の交換時や錘が脱落した場合にもクラブヘッド本体内にゴミや水等の異物が入ったりすることがないゴルフクラブヘッドを提供することを目的としている。【解決手段】中空部をヘッド内部に有し、中空部内にその一端が臨み、他端がヘッド外壁面に開口するとともに、ウェートバランス調整用の錘が交換自在に装着される筒状をした錘装着部をヘッド壁面に少なくとも１つ備えているゴルフクラブヘッドにおいて、錘装着部のクラブヘッド内部側の端部が水密に封止されていることを特徴としている。【選択図】      図２
2006187489.tif 000002
【特許請求の範囲】
【請求項１】
中空部をヘッド内部に有し、中空部内にその一端が臨み、他端がヘッド外壁面に開口するとともに、ウェートバランス調整用の錘が交換自在に装着される筒状をした錘装着部をヘッド壁面に少なくとも１つ備えているゴルフクラブヘッドにおいて、錘装着部のクラブヘッド内部側の端部が水密に封止されていることを特徴とするゴルフクラブヘッド。
【請求項２】
中空のクラブヘッド本体と、錘装着部形成部材とを有し、
前記クラブヘッド本体の錘装着部形成位置に前記錘装着部形成部材の装着孔が穿設されていて、
前記錘装着部形成部材が、前記装着孔に挿入可能な外径で錘が交換自在に装着される筒部と、この筒部の一端を水密に封止するキャップ部と、前記筒部の他端から外側に鍔状に張り出して前記装着孔より大径の鍔部と、この鍔部よりキャップ部側の筒部外壁面に突設され、鍔部との間にクラブヘッド本体の装着孔周縁部が係合する係合溝を形成する係止突部とを備え、前記キャップ側を先頭にして前記筒部を前記係止突部が弾性変形しつつ前記装着孔からクラブヘッド本体内に圧入されることによってヘッド本体に装着されている請求項１に記載のゴルフクラブヘッド。
【発明の詳細な説明】
【技術分野】
【０００１】
本発明は、ゴルフクラブヘッドに関する。
【背景技術】
【０００２】
ユーザーの技術、体力、スイングのくせ等に応じたウェートバランスを備えたゴルフクラブを容易に得ることができるように、錘を着脱自在に装着できるようにしたゴルフクラブヘッドが既に提案されている(たとえば、特許文献1参照)。
すなわち、上記特許文献１のゴルフクラブヘッドは、図７に示すように、中空のクラブヘッド本体１００のソール部分に錘装着用孔１１０が穿設され、ナット２００がクラブヘッド本体１００の内壁面にナット２００の中心軸を錘装着用孔１１０に一致させるように固定されていて、先端にナット２００に螺合するねじ部３１０を有し、頭部３２０が錘装着用孔１１０と略同じ大きさをした錘３００を頭部３２０が錘装着用孔１１０に入り込むまで、ねじ部３１０をナット２００にねじ込むようになっている。
【０００３】
そして、錘３００は、ねじ部３１０の長さを異ならせたり、材質を異ならせたりすることによって、重量の異なるものが複数種用意されていて、これらの錘３００を交換することによって容易にクラブヘッドのウェートバランスを変更することができるようになっている。
【０００４】
【特許文献１】特開平１１−９７４２号公報
【発明の開示】
【発明が解決しようとする課題】
【０００５】
しかしながら、上記のような従来の錘を交換自在となったゴルフクラブヘッドの場合、錘３００を交換の際、あるいは、使用中に錘がねじの緩みにより脱落した場合、錘装着用孔１１０およびナット２００のねじ孔を介してクラブヘッド本体１００の内部にゴミや水等の異物が入ったりする恐れがある。
【０００６】
本発明は、上記事情に鑑みて、錘の交換が容易であるとともに、錘の交換時や錘が脱落した場合にもクラブヘッド本体内にゴミや水等の異物が入ったりすることがないゴルフクラブヘッドを提供することを目的としている。
【課題を解決するための手段】
【０００７】
上記目的を達成するために、本発明の請求項１に記載のゴルフクラブヘッド（以下、「請求項１のゴルフクラブヘッド」と記す）は、中空部をヘッド内部に有し、中空部内にその一端が臨み、他端がヘッド外壁面に開口するとともに、ウェートバランス調整用の錘が交換自在に装着される筒状をした錘装着部をヘッド壁面に少なくとも１つ備えているゴルフクラブヘッドにおいて、錘装着部のクラブヘッド内部側の端部が水密に封止されていることを特徴としている。
【０００８】
本発明の請求項２に記載のゴルフヘッド（以下、「請求項２のゴルフクラブヘッド」と記す）は、請求項１のゴルフクラブヘッドにおいて、中空のクラブヘッド本体と、錘装着部形成部材とを有し、前記クラブヘッド本体の錘装着部形成位置に前記錘装着部形成部材の装着孔が穿設されていて、前記錘装着部形成部材が、前記装着孔に挿入可能な外径で錘が交換自在に装着される筒部と、この筒部の一端を水密に封止するキャップ部と、前記筒部の他端から外側に鍔状に張り出して前記装着孔より大径の鍔部と、この鍔部よりキャップ部側の筒部外壁面に突設され、鍔部との間にクラブヘッド本体の装着孔周縁部が係合する係合溝を形成する係止突部とを備え、前記キャップ側を先頭にして前記筒部を前記係止突部が弾性変形しつつ前記装着孔からクラブヘッド本体内に圧入されることによってヘッド本体に装着されていることを特徴としている。
【発明の効果】
【０００９】
本発明にかかるゴルフクラブヘッドは、以上のように、錘装着部のクラブヘッド内部側の端部が水密に封止されているので、錘を交換の際や錘がクラブの使用中に脱落しても、クラブヘッド本体内にゴミや水が入らない。
【００１０】
また、請求項２のゴルフクラブヘッドは、中空のクラブヘッド本体と、錘装着部形成部材とを有し、前記クラブヘッド本体の錘装着部形成位置に前記錘装着部形成部材の装着孔が穿設されていて、前記錘装着部形成部材が、前記装着孔に挿入可能な外径で錘が交換自在に装着される筒部と、この筒部の一端を水密に封止するキャップ部と、前記筒部の他端から外側に鍔状に張り出して前記装着孔より大径の鍔部と、この鍔部よりキャップ部側の筒部外壁面に突設され、鍔部との間にクラブヘッド本体の装着孔周縁部が係合する係合溝を形成する係止突部とを備え、前記キャップ側を先頭にして前記筒部を前記係止突部が弾性変形しつつ前記装着孔からクラブヘッド本体内に圧入されることによってヘッド本体に装着されている構成としたので、クラブヘッド本体の所望位置に装着孔を穿設して置けば、錘装着部を容易に形成できる。また、既存のカーボン樹脂製クラブヘッド等も容易に本発明のゴルフクラブヘッドに改良することができる。
【発明を実施するための最良の形態】
【００１１】
以下に、本発明を、その実施の形態をあらわす図面を参照しつつ詳しく説明する。
図１〜図５は、本発明にかかるゴルフクラブヘッドの１つの実施の形態をあらわしている。
【００１２】
図１および図２に示すように、このゴルフクラブヘッド１ａは、ドライバー形状のクラブヘッド本体２と、錘３ａと、錘装着孔形成部材４ａとを備えている。
クラブヘッド本体２は、フェース部２１およびソール部２２がチタン合金等の軽量金属材料で形成され、ヒール部を含むクラウン部２３がカーボン繊維やガラス繊維強化樹脂で形成されているとともに、図３に示すように、後述する錘装着孔形成部材４ａが装着される装着孔２５がソール部２２に2つ、クラウン部２３に4つ穿設されている。
【００１３】
錘３ａは、図４および図５に示すように、錘本体３１と、固定部３２とを備えている。
錘本体３１は、アルミニウム、チタン等の金属材料で形成され、一端面に後述する錘着脱治具５ａの開口端が係合する４つの切り込み３１ａが放射状に形成されているとともに、他端部外周面に固定部３２への固定ネジ部３１ｂが設けられている。
【００１４】
各切り込み３１ａは、錘本体３１の外面側で開口する溝状をしていて、錘本体３１の中心側の壁面に錘着脱治具５ａの係合突起５１が係合する係合凹部３１ｃを備えている。
錘着脱治具５ａは、金属あるいはエンジニアリングプラスチックで形成された略Ｕ字形をしていて、開口端が閉じる方向に弾性変形可能になっているとともに、開口端に他方の開口端に向かって延出する係合突起５１を備えている。
【００１５】
固定部３２は、ポリアセタール樹脂等のエンジニアリングプラスチックで略筒状に形成されていて、一端部に錘本体３１と略同径の大径部３２ａ、他端部に大径部３２ａより小径の小径部３２ｂ、中間部にテーパ部３２ｃを有し、大径部３２ａに錘本体３１の固定ネジ部３１ｂが螺合する雌ねじ３２ｄが形成されている。また、小径部３２ｂには、中心軸を挟んで外側に突出する係止爪３２ｅが設けられるとともに、この係止爪３２ｅの両側にスリット３２ｆが穿設されている。すなわち、係止爪３２ｅは、弾性変形によって固定部３２の半径方向に出没可能になっている。また、係止爪３２ｅの側壁面は、R形状に形成されている。
【００１６】
錘装着孔形成部材４ａは、図３および図４に示すように、ポリアセタール樹脂等のエンジニアリングプラスチック製の筒部４１と、キャップ部４２とから形成されている。
キャップ部４２は、筒部４１の一端開口部を塞ぐように筒部４１の一端面に熱融着あるいは接着によって筒部４１に一体化されている。
【００１７】
筒部４１は、一端が、装着孔２５に挿入可能な外径をしていて、他端に装着孔２５より大径の鍔部４１ａが形成されている。
また、筒部４１の鍔部４１ａよりキャップ部４２側には、装着孔２５の周縁部が係合する係合溝４１ｂを形成する係止突部４１ｃが鍔部４１ａとの間に形成されている。
【００１８】
係止突部４１ｃは、最大径部が装着孔２５より大径で、鍔部４１ａより少し小径になっていて、キャップ部４２側から鍔部４１ａ側に向かって徐々に拡経するテーパ面４１ｄを備えている。
筒部４１の内部には、錘装着孔４３が形成されている。
【００１９】
錘装着孔４３は、錘本体挿入部４４と、錘係止部４５とを備えている。
錘本体挿入部４４は、鍔部４１ａ側に設けられ、錘本体３１の外径と略同じ内径で、錘本体３１の端から固定部３２の大径部３２ａの端までの長さと略同じ長さの円筒状をしている。
【００２０】
錘係止部４５は、受け部４５ａと、２つの係止爪挿通溝４５ｂと、２つの係止溝部４５ｃとを備えている。
受け部４５ａは、係止爪挿通溝４５ｂ部分を除き、固定部３２のテーパ部３２ｃに沿う形状をしている。
【００２１】
係止爪挿通溝４５ｂは、図では１つしかあらわれていないが、錘３ａの係止爪３２ｅが通過可能なように筒部４１の中心軸を挟んで対称位置に係止爪３２ｅと略同じ断面形状で設けられている。
係止溝部４５ｃは、受け部４５ａとキャップ部４２との間に溝状に設けられ、係止爪挿通溝４５ｂに対して９０°ずれた位置に係止爪３２ｅが嵌まり込む係止爪嵌合凹部４５ｄが設けられている。
【００２２】
そして、このゴルフクラブヘッド１ａは、まず、係合溝４１ｂ内に接着剤を塗布した状態でキャップ部４２側を先頭にして錘装着孔形成部材４ａの筒部４１を装着孔２５の周縁部が係合溝４１ｂに嵌まり込むまでクラブヘッド本体２に設けられた装着孔２５に押し込む。このとき、係止突部４１ｃがテーパ面４１ｄを備えているので、筒部４１を装着孔２５に押し込んで行くと、装着孔２５の周縁がテーパ面４１ｄに受けられ、さらに押し込まれると係止突部４１ｃが弾性変形し、筒部４１が装着孔２５の周縁部に鍔部４１ａが受けられるまで押し込まれる。そして、係止突部４１ｃが弾性復元力によって元の状態に戻り、装着孔２５の周縁部が係合溝４１ｂ内に嵌め殺し状態に嵌まり込み、接着剤を介してクラブヘッド本体２に固定される。
【００２３】
すなわち、錘装着部としての錘装着孔４３を有し、キャップ部４２によって錘装着孔４３のクラブヘッド内部側の端部が水密に封止されているゴルフクラブヘッド１ａが容易に得られる。
また、各錘装着孔４３には、ゴルフクラブを使用するゴルファーの好みに応じた重さの錘３ａを以下のようにして装着することができる。
【００２４】
まず、錘３ａを、係止爪３２ｅが係止爪挿通溝４５ｂに一致させるように固定部３２側を先頭にして錘装着孔４３に挿入し、係止爪３２ｅが係止溝部４５ｃを臨む位置に来るまで係止爪３２ｅを係止爪挿通溝４５ｂに沿ってスライドさせる。
つぎに、錘３ａの直線上に位置する２つの切り込み３１ａに錘着脱治具５ａの開口端のいずれか一方をそれぞれ臨ませたのち、錘着脱治具５ａを外側から握る錘着脱治具５ａの開口端を他方の開口端側に近づくように弾性変形させて、係合突起５１を係合凹部３１ｃに係合させた状態で、錘着脱治具５ａを係止溝部４５ｃ方向に捻り、錘３ａを９０°回転させて、係止爪３２ｅを係止爪嵌合凹部４５ｄに嵌め込む。
【００２５】
すなわち、錘３ａを回転させると、係止爪３２ｅの両側面がＲ形状になっているとともに、係止爪３２ｅの両側にスリット３２ｆが設けられているので、係止爪挿通溝４５ｂに挿入されていた係止爪３２ｅ部分が弾性変形しつつ係止溝部４５ｃの底に乗り上げる。そして、されに回転を続け係止爪３２ｅが係止爪嵌合凹部４５ｄのところまでくると、弾性復元力によって、係止爪３２ｅが元の位置に戻り、係止爪嵌合凹部４５ｄに嵌まり込む。したがって、錘３ａに大きな回転方向の力が加わらない限り、錘３ａが錘装着孔４３内で回転せず、錘３ａがクラブヘッド本体２にしっかりと装着される。
【００２６】
一方、ゴルフクラブヘッドのウェートバランスを変更したい場合は、係止爪３２ｅが係止爪挿通溝４５ｂのところにくるまで錘着脱治具５ａを用いて錘３ａを反対方向に回転させて一旦錘３ａを取り外し、重さの異なる別の錘３ａを同様にして装着するようになっている。
【００２７】
このゴルフクラブヘッド１ａは、以上のように、クラブヘッド本体２の設けられた装着孔２５に錘装着孔形成部材４ａを嵌着するだけで容易に錘装着孔４３を形成することができる。また、繊維強化樹脂等で形成され、直接螺子を切ったりすることができない部材で形成された部分へも容易に錘装着孔４３を形成することができる。
しかも、キャップ部４２を備えているので、錘装着孔４３のクラブヘッド本体２側端部が水密に閉じられているので、錘装着孔４３を介して水やゴミ等の異物がクラブヘッド本体２内に入り込むことがない。
【００２８】
なお、図１中、７は、クラブシャフトである。
【００２９】
図６〜図８は、本発明にかかるゴルフクラブヘッドの他の実施の形態をあらわしている。
図６〜図８に示すように、このゴルフクラブヘッド１ｂは、錘装着孔形成部材４ｂの筒部４１に設けられた錘装着孔４１ｇが、その入口部内面に雌ねじ４１ｈが穿設され、係止突部４１ｃが筒部４１の外面に間欠的に設けられているとともに、錘３ｂの外面に形成された雄ねじ３６を雌ねじ４１ｈに螺合させることによって錘３ｂが錘装着孔４１ｇに装着されるようになっている以外は、上記のゴルフクラブヘッド１ａと同様になっている。
【００３０】
なお、このゴルフクラブヘッド１ｂにおいては、図９に示すように錘着脱治具５ｂが４つの係合突起５５を先端に備え、この係合突起５５を錘３ｂの端面に設けられた嵌合孔３７に嵌合させて、錘着脱治具５ｂのハンドル部５６を回転させることによって、錘３ｂを着脱するようになっている。
【００３１】
本発明にかかるゴルフクラブヘッドは、上記の実施の形態に限定されない。たとえば、上記の実施の形態では、ヘッド本体が金属材料と、繊維強化樹脂材料とで形成されていたが、全体を金属材料で形成するようにしても構わない。
上記の実施の形態では、錘が金属製の錘本体と、樹脂製の固定部と形成されていて、錘本体が交換自在となっていたが、錘本体と固定部とが一体成形されていても構わない。
【００３２】
上記の実施の形態では、錘装着孔が合計６つ設けられていたが、７つ以上でも５つ以下でも構わない。また、錘装着孔の形成位置も特に限定されない。
上記の実施の形態では、ゴルフクラブヘッドがドライバー形状であったが、他のフェアーウッド形状のもの、および、中空部を備えていれば、アイアンタイプでも本発明の構造を採用することができる。
【図面の簡単な説明】
【００３３】
【図１】本発明にかかるゴルフクラブヘッドの1つの実施の形態をあらわす正面図である。
【図２】図１のゴルフクラブヘッドの底面図である。
【図３】図１のゴルフクラブヘッドの錘装着孔形成部材のクラブヘッド本体への装着方法を説明する図であって、同図（ａ）は、その装着途中の状態をあらわす断面図、同図（ｂ）は装着状態の断面図である。
【図４】図１のゴルフクラブヘッドの要部分解斜視図である。
【図５】錘の分解斜視図である。
【図６】本発明にかかるゴルフクラブヘッドの他の実施の形態をあらわす正面図である。
【図７】図６のゴルフクラブヘッドの底面図である。
【図８】図６のゴルフクラブヘッドの要部分解斜視図である。
【図９】図６のゴルフクラブヘッドの錘着脱治具の斜視図である。
【図１０】従来のゴルフクラブヘッドの断面図である。
【符号の説明】
【００３４】
１ａ，１ｂ  ゴルフクラブヘッド
２  中空のクラブヘッド本体
３ａ，３ｂ  錘
４ａ，４ｂ  錘装着部形成部材
２５  装着孔
４１  筒部
４２  キャップ部
４１ａ  鍔部
４１ｂ  係合溝
４１ｃ  係止突部
【図１】
2006187489.tif 000003
【図２】
2006187489.tif 000004
【図３】
2006187489.tif 000005
【図４】
2006187489.tif 000006
【図５】
2006187489.tif 000007
【図６】
2006187489.tif 000008
【図７】
2006187489.tif 000009
【図８】
2006187489.tif 000010
【図９】
2006187489.tif 000011
【図１０】
2006187489.tif 000012